(57)【要約】【課題】色収差を補正する光学系を新たに配設することなく、レーザパワー変化時の色収差に伴う記録品質の劣化を防止する。【解決手段】フォーカス制御回路５は、フォーカス誤差信号を基にピックアップヘッド２のフォーカス位置を制御する。デフォーカス量検出回路７は、予め記録パワー調整の工程でテスト信号の記録開始時点で発生するフォーカス誤差信号の変化量を検出しておく。ユーザ情報の記録時、デフォーカス印加回路８は、記録開始直前の所定の期間において、前記検出した変化量を基にデフォーカス補正量を発生し、前記フォーカス誤差信号に加算する。【選択図】図１
2008004227.tif 000002
【特許請求の範囲】
【請求項１】
回転する光ディスクにレーザ光を照射し情報を記録及び再生する光ディスク記録再生装置において、
上記光ディスクに記録及び再生用レーザ光を照射するピックアップと、
該ピックアップの記録及び再生信号を処理する信号処理回路と、
該信号処理回路から出力されるフォーカス誤差信号を基に、上記ピックアップの照射するレーザ光のフォーカス位置を制御するフォーカス制御回路と、
該フォーカス誤差信号に加算するデフォーカス補正量を発生するデフォーカス印加回路と、
上記信号処理回路と上記デフォーカス印加回路を制御するコントローラとを備え、
該コントローラは記録開始直前の所定の期間において、上記デフォーカス印加回路から所定のデフォーカス補正量を発生させ、上記フォーカス誤差信号に加算させることを特徴とする光ディスク記録再生装置。
【請求項２】
請求項１記載の光ディスク記録再生装置において、
当該装置が再生から記録に切り替わる際に発生する前記フォーカス誤差信号の変化量を検出するデフォーカス量検出回路と、
検出した変化量をデフォーカス量として記憶する記憶部を備え、
前記デフォーカス印加回路の発生するデフォーカス補正量は、上記記憶部に記憶するデフォーカス量に所定の係数ｋを掛けたものであることを特徴とする光ディスク記録再生装置。
【請求項３】
請求項２記載の光ディスク記録再生装置において、
前記所定の係数ｋは１／２であることを特徴とする光ディスク記録再生装置。
【請求項４】
請求項１記載の光ディスク記録再生装置において、
前記デフォーカス補正量の加算は、記録開始時点よりも前記フォーカス制御回路の応答時間以上手前から加算を開始し、記録開始時点で加算を終了することを特徴とする光ディスク記録再生装置。
【請求項５】
請求項２記載の光ディスク記録再生装置において、
情報を記録する際の記録用レーザ光の最適パワーを決定する記録パワー調整手段を備え、
前記デフォーカス量検出回路は、上記記録パワー調整手段によりテスト信号を記録する際、記録開始時点で発生するフォーカス誤差信号の変化量を検出してデフォーカス量とすることを特徴とする光ディスク記録再生装置。
【請求項６】
請求項５記載の光ディスク記録再生装置において、
前記記録パワー調整手段によりテスト信号を再生する場合、再生開始時点から前記フォーカス制御回路の応答時間以上経過するまでの期間は、再生信号の検出を遮断することを特徴とする光ディスク記録再生装置。
【発明の詳細な説明】
【技術分野】
【０００１】
本発明は、光ディスクにレーザ光を照射して情報を記録再生する光ディスク記録再生装置に係り、特にレーザ光色収差に基づくデフォーカスを改善する技術に関する。
【背景技術】
【０００２】
近年、光ディスクの高密度化を進めるため、様々な光記録媒体が提案されている。また光ディスクに高密度化で記録するための条件として、光源である半導体レーザの波長を短くすることと、ディスク上にレーザ光を集光させる対物レンズのＮＡ（開口数）を高くすることが挙げられる。この２つの条件を達成することによって、光ディスク上に、より小さなスポットを照射させ、より小さなピットの形成と読出しが可能となる。
【０００３】
しかしながら、半導体レーザの短波長化と対物レンズの高ＮＡ化が進むにつれて、色収差がより大きく発生するようになる。例えば、近年実用化が提案されている４００ｎｍ近傍の波長を発振する半導体レーザの場合、従来の半導体レーザと同程度の波長誤差（発振波長のばらつき幅）が発生したとすると、従来の半導体レーザの場合と比較して数倍の色収差が発生してしまう。その結果、光ディスク上に形成されるスポットにデフォーカス（フォーカスずれ）が生じ、信号のＳＮ比が大きく劣化してしまい、記録品質が劣化してしまう。
【０００４】
従来、この色収差の問題を解決するために、光学系の改良により色収差を抑圧する技術が提案されている。例えば特許文献１には、光ディスクの種別（一般用と高密度用）に応じて集光手段を切り替え、集光手段にはビーム光のビーム径を縮小または拡大するビーム径縮小・拡大手段を設ける構成が記載される。また特許文献２には、短波長レーザを使用する場合に色収差を補正する収差補正レンズ群を設け、それを構成する正レンズ及び負レンズのアッベ数を好適に選択する技術が記載される。
【０００５】
【特許文献１】特開２００２−１５７７６８号公報
【特許文献２】特開２０００−１３１６０３号公報
【発明の開示】
【発明が解決しようとする課題】
【０００６】
上記特許文献１，２に記載の技術は、装置内に配設されている光学系とは別に、色収差を補正する光学系を配設するものであり、光学系部品の複雑化、装置の大型化、及びコストアップを招いてしまう。また、装置内に配設されている光学系のアッベ数を適宜選択する方法では、色収差に対する補正量を大きくした場合には他の収差の発生による影響が避けられなくなる。
【０００７】
ところで、色収差が具体的に問題になるのは、照射するレーザパワーが大きく変化する場合であって、レーザパワーの増大により発振条件が変わり、発振波長がずれるからである。具体的には、記録動作に切り替えた場合の記録パワー増大により発振波長が変動し、デフォーカスが発生することになる。発生したデフォーカスは、装置の備えるフォーカス制御機構により、応答特性で決まる時間の経過とともに解消できる。しかしながら、記録開始時点でのステップ状の急激な変化には応答が困難であり、制御が安定するまでの期間は正常な記録動作は困難であった。
【０００８】
本発明は上記の課題に鑑み、色収差を補正する光学系を新たに配設することなく、レーザパワー変化時の色収差に伴う記録品質の劣化を防止する光ディスク記録再生装置を提供することを目的とする。
【課題を解決するための手段】
【０００９】
本発明の光ディスク記録再生装置は、光ディスクに記録及び再生用レーザ光を照射するピックアップと、ピックアップの記録及び再生信号を処理する信号処理回路と、信号処理回路から出力されるフォーカス誤差信号を基に、ピックアップの照射するレーザ光のフォーカス位置を制御するフォーカス制御回路と、フォーカス誤差信号に加算するデフォーカス補正量を発生するデフォーカス印加回路と、信号処理回路とデフォーカス印加回路を制御するコントローラとを備える。コントローラは記録開始直前の所定の期間において、デフォーカス印加回路から所定のデフォーカス補正量を発生させ、フォーカス誤差信号に加算させる。
【００１０】
さらに、当該装置が再生から記録に切り替わる際に発生する前記フォーカス誤差信号の変化量を検出するデフォーカス量検出回路と、検出した変化量をデフォーカス量として記憶する記憶部を備え、デフォーカス印加回路の発生するデフォーカス補正量は、記憶部に記憶するデフォーカス量に所定の係数ｋを掛けたものである。好ましくは、所定の係数ｋは１／２である。
【００１１】
さらに、情報を記録する際の記録用レーザ光の最適パワーを決定する記録パワー調整手段を備え、デフォーカス量検出回路は、記録パワー調整手段によりテスト信号を記録する際、記録開始時点で発生するフォーカス誤差信号の変化量を検出してデフォーカス量とする。
【発明の効果】
【００１２】
本発明によれば、色収差を補正する光学系を新たに配設することなく、記録開始時の色収差に伴う記録品質の劣化を防止することができる。
【発明を実施するための最良の形態】
【００１３】
図１は、本発明による光ディスク記録再生装置の一実施例の構成を示す図である。装着された光ディスク１は、図示しないスピンドルモータによって所定の速度で回転される。ピックアップヘッド（ＰＵＨ）２では、レーザ光源（ＬＤ）２０から出射されたレーザ光はコリメータレンズ２１で平行光とされ、ビームスプリッタ２２を通って対物レンズ２３に入射し、光ディスク１の情報記録層に集光することで、情報の記録再生を行う。光ディスク１から反射した光は、再び対物レンズ２３、ビームスプリッタ２２を通って検出レンズ２５に入射し、フォトディテクター２６上に集光されて電気信号として検出される。フォトディテクター２６で検出された電気信号は、プリアンプ２７で増幅され、フォーカス誤差信号、トラッキング誤差信号及びＲＦ信号が出力される。
【００１４】
トラッキング誤差信号はトラッキング制御回路３に入力され、フォーカス誤差信号は加算回路４を介してフォーカス制御回路５に入力され、それぞれ制御系の抑圧特性と安定性を満足するように信号処理が行われ、駆動回路６に出力される。駆動回路６では、トラッキング制御回路３及びフォーカス制御回路５からの制御信号に基づいて、ＰＵＨ２に搭載されたアクチュエータ２４を駆動する。アクチュエータ２４は、対物レンズ２３をディスク面に垂直な方向（フォーカス方向）及び半径方向（トラッキング方向）に移動させることで、レーザ光をディスク上の所望の位置に集光させる。
【００１５】
一方、プリアンプ２７からのＲＦ信号は信号処理回路９に入力され、光ディスク上に記録されているユーザ情報とその記録位置を示す物理アドレス情報等を再生する。コントローラ１０は、このアドレス情報を基に、所望の位置からユーザ情報等を読み出したり、所望の位置にユーザ情報等を記録したりする。この際、ユーザ情報は信号処理回路９で変調復調などの記録再生処理がなされる。さらに、記録波形発生回路１２では、入力された記録データを基にレーザ発光波形を形成するための信号を生成し、ＬＤ駆動回路１１はレーザ光源（ＬＤ）２０を駆動し、レーザ光を発光させる。記憶部１３は、制御プログラムや後述するデフォーカス量などのデータを記憶する。
【００１６】
また、情報を記録する際、記録用レーザ光のパワーの最適化を行うための記録パワー調整手段を有する。これはＯＰＣ（Ｏｐｔｉｍｕｍ  Ｐｏｗｅｒ  Ｃａｌｉｂｒａｔｉｏｎ）工程と呼ばれ、光ディスクに新たな情報を記録する直前に実行する学習工程の１つである。ＯＰＣ工程では、記録波形発生回路１２により記録パワーを変化させたテスト信号を生成して、ＰＵＨ２によりディスク上の各セクタに記録する。そして、各セクタに記録した信号を再生し、信号処理回路９で信号レベルの対称性（β特性）等を評価する。コントローラ１０は最も対称性が良い記録パワーを最適記録パワーとして決定し、記憶部１３に記憶する。続いて、この最適記録パワーを用いて、データ領域にユーザ情報を記録する。
【００１７】
本実施例では、さらに、デフォーカス量検出回路７とデフォーカス印加回路８を設けたことに特徴がある。デフォーカス量検出回路７は、プリアンプ２７からのフォーカス誤差信号を入力し、色収差により記録開始時に発生するフォーカス誤差信号の変化量（デフォーカス量）を検出する。そして、検出したデフォーカス量をコントローラ１０に出力する。コントローラ１０では、デフォーカス量検出回路７から入力されたデフォーカス量に基づいて、所定のデフォーカス補正量をデフォーカス印加回路８に設定する。デフォーカス印加回路８は、加算回路３を介してフォーカス誤差信号にデフォーカス補正量を加算する。その際、デフォーカス補正量を加算するタイミングを記録開始直前の所定期間に調整することで、記録開始時のレーザパワー増大に伴うデフォーカスの発生を抑制する。
【００１８】
次に、本実施例の光ディスク記録再生装置により、ユーザ情報等をディスク上のデータ領域に記録する際の動作を説明する。
【００１９】
図２は、記録動作時の装置内部の信号波形を示す図である。（ａ）はライトゲート信号で、レーザ発光が記録状態か再生状態かを示す。（ｂ）はＬＤ駆動回路１１からのレーザ駆動信号で、レーザの発光パワーと発光波形を指示する。（ｃ）はプリアンプ２７から出力されるフォーカス誤差信号を示す。ここでは、（ｄ）のデフォーカス補正量を加算してフォーカス制御を行っている場合である。（ｄ）はデフォーカス印加回路８から出力するデフォーカス補正量を示し、加算回路４により上記フォーカス誤差信号（ｃ）に加算する。なお（ｃ’）は、比較のために示すフォーカス誤差信号で、デフォーカス補正量（ｄ）を加算しないでフォーカス制御を行っている場合の例である。
【００２０】
記録開始時点（Ｐ点）で再生動作から記録動作に切り替わると、レーザパワー（ｂ）がステップ状に増大し、レーザ光の波長の変化と光学系の色収差が原因となってデフォーカスが発生する。フォーカス制御系はこのデフォーカス量に追従するために、フォーカス誤差信号（ｃ’）のレベルが一旦−Δｆだけ変化する。その後、このフォーカス誤差信号（ｃ’）のレベルが０になるようにフィードバック制御が行われるが、安定するまでには制御系の応答特性に対応した時間Δｔ１を必要とする。また記録終了時（Ｑ点）には、記録状態で発生した色収差によるデフォーカスが元に戻るため、同様にフォーカス誤差信号（ｃ’）に段差が発生する。このようにデフォーカス量の発生により制御が安定するまでの過渡期間Δｔ１は、フォーカス状態が不安定であり正常な記録動作は困難になる。
【００２１】
本実施例では次のように対処する。デフォーカス量検出回路７では、テスト信号等を用いて再生から記録に切り替わる際に発生するフォーカス誤差信号（ｃ’）のレベル変化（デフォーカス量）−Δｆを予め検出し、コントローラ１０に出力する。コントローラ１０ではこのデフォーカス量を記憶部１３に記憶しておく。そして、これに対して適切な係数ｋを掛けたデフォーカス補正量（ｄ）、例えば−Δｆ／２（ｋ＝１／２）をデフォーカス印加回路８に設定し、加算回路４を介してフォーカス誤差信号（ｃ）に加算する。デフォーカス補正量を加算するタイミング（Ｒ点）は、記録開始時点（Ｐ点）よりも制御系の応答特性に対応する時間Δｔ３以上手前から加算を開始し、記録開始時点（Ｐ点）で加算を終了する。
【００２２】
デフォーカス補正量（ｄ）を加算した結果、フォーカス制御の動作点が補正量−Δｆ／２だけずれ、フォーカス誤差信号（ｃ）には＋Δｆ／２のオフセットが発生する。また、デフォーカス補正量を加算するタイミング（Ｒ点）を記録開始時点（Ｐ点）よりも時間Δｔ３以上手前としたので、記録開始時点（Ｐ点）ではオフセット＋Δｆ／２は安定している。
【００２３】
この状態でレーザ信号（ｂ）を印加して記録を開始すると、色収差によるデフォーカスが発生し、フォーカス誤差信号（ｃ）には（ｃ’）と同様にレベル変化−Δｆの段差が発生する。上記したように、記録開始時点（Ｐ点）では予めオフセット＋Δｆ／２が与えられているので、発生する段差−Δｆは同等であっても、記録開始直後のフォーカス誤差信号（ｃ）のレベルは−Δｆ／２となる。すなわち、デフォーカス補正量を加算した結果、記録開始直後のデフォーカス量を−Δｆから−Δｆ／２に半減させることができる。
【００２４】
デフォーカス補正量（ｄ）は記録開始時点（Ｐ点）で０とし、補正量の加算を終了する。その後、このフォーカス誤差信号（ｃ）は、制御系の応答特性に対応する時間Δｔ２で０になるようにフィードバック制御が行われる。この場合、デフォーカス量が１／２に半減していることからフォーカス誤差信号が０になるまでの応答時間も短縮され、Δｔ２＜Δｔ１となる。よって、デフォーカス量の発生により制御が安定するまでの過渡期間Δｔ２が短縮するので、記録動作への影響を低減することができる。なお、上記補正量の加算終了のタイミングを記録開始時点（Ｐ点）からずれて設定すると、記録開始直後のデフォーカス量が−Δｆ／２よりも増加したり、フォーカス誤差信号（ｃ）が０に収束するまでの時間Δｔ２が延びることになり、好ましくない。
【００２５】
上記実施例では、記録開始時に発生するフォーカス誤差信号（ｃ’）の段差−Δｆに対し、デフォーカス補正量（ｄ）の補正量は係数ｋ＝１／２を掛けて−Δｆ／２に設定した。これにより、例えば記録動作の前に再生動作を行うような場合、デフォーカス発生による影響を記録動作区間と再生動作区間の双方に分配させることができる。つまり、記録時の過渡時間Δｔ２と再生時の過渡時間Δｔ３をほぼ同等にして、記録再生動作全体としての性能のバランスをとることができる。このように、補正量を決める際の係数ｋは、記録と再生の動作状況を考慮して適宜定めればよい。例えば記録動作を優先する場合は、係数ｋ＝１として補正量を段差Δｆに等しく設定することで、記録時の過渡時間Δｔ２をほぼ０にすることができる。
【００２６】
本実施例では、レーザパワー変化時の色収差を補正する光学系を新たに配設することなく、記録開始時点に発生する色収差に伴うデフォーカスの影響を抑圧することができる。よって、光学系部品の複雑化、装置の大型化、及びこれに伴うコストアップがなく、記録品質の劣化を防止することができる。
【００２７】
本実施例では、デフォーカス補正を行うために、予めデフォーカス量を取得する必要がある。その具体的な手法として、記録パワー調整手段による記録パワー最適化の学習工程を利用して、デフォーカス量を検出する方法を説明する。
【００２８】
図３は、ＯＰＣ工程におけるテスト信号の記録とデフォーカス量の検出を説明する図である。（ａ）はライトゲート信号で、レーザ発光が記録状態か再生状態かを示す。（ｂ）はテスト信号用のレーザ駆動信号で、レーザの発光パワーと発光波形を指示する。（ｃ）はＯＰＣ記録時のフォーカス誤差信号を示す。
【００２９】
ＯＰＣ工程における記録動作では、例えばディスク上のＯＰＣ用に設けた所定のトラックにおいて、各セクタ（Ｓ０〜Ｓ３）毎に、記録パワーを少しずつ変化させてテスト信号を記録する。この際、記録開始時点（Ｐ点）で色収差によるデフォーカスが発生し、フォーカス誤差信号（ｃ）には、デフォーカス量に対応したレベル変化−Δｆが発生する。フォーカス制御では、制御系の応答特性に対応した時間Δｔ０でこのフォーカス誤差信号が０になるようにフィードバック制御を行う。デフォーカス量検出回路７では、記録開始直後のフォーカス誤差信号（ｃ）のレベル変化−Δｆを検出し、デフォーカス量としてコントローラ１０に出力する。コントローラ１０は、このデフォーカス量−Δｆを記憶部１３に記憶しておき、次にユーザ情報を記録する際のデフォーカス補正量を設定するために用いる。
【００３０】
このように、ＯＰＣ工程においてデフォーカス量を取得するようにしたので、デフォーカス量検出のために専用の工程が不要となり、記録動作時間に影響することもなく効率的である。
【００３１】
図４は、ＯＰＣ工程におけるテスト信号の再生を説明する図である。（ｅ）はリードゲート信号で、所定のセクタを再生している期間を示す。（ｆ）は再生ＲＦ信号で、先に記録パワーを変えながら記録した各セクタからの再生信号である。信号処理回路９はこのＲＦ信号の対称性（β特性）等を評価して、最適記録パワーを決定する。（ｇ）は検出窓信号で、再生ＲＦ信号（ｆ）の振幅を検出する期間を示す。（ｃ）は再生時のフォーカス誤差信号を示す。
【００３２】
再生ＲＦ信号（ｆ）の振幅は、記録した各セクタ（Ｓ０〜Ｓ３）の記録時のパワーに依存して変化するが、記録開始（Ｐ点）からΔｔ０の期間は色収差によりフォーカスがずれた状態で記録されている。よって、この期間の再生ＲＦ信号（ｆ）は記録パワーを正しく反映しているとは言い難い。このため、少なくともΔｔ０を経過するまで期間Δｔ０’は、信号処理回路９が再生ＲＦ信号振幅の検出を行わないように検出窓信号（ｇ）を設けて信号を遮断する。このようにして、再生した信号のうち振幅の対称性が最も良いセクタ（例えばＳ１）の記録パワーを最適記録パワーとする。なお、再生動作ではレーザパワーが小さいので色収差は発生しない。よって、フォーカス誤差信号（ｃ）には再生開始（Ｐ点）及び終了時点（Ｑ点）に段差は発生しない。
【００３３】
このように、ＯＰＣ工程の再生信号評価において、記録開始（Ｐ点）から所定期間（制御が不安定な期間Δｔ０）については検出窓信号（ｇ）で信号検出を遮断するようにしたので、取得した信号の誤りがなくなり、最適記録パワー決定値の信頼性が向上する。
【００３４】
次に、本実施例における記録再生工程及びＯＰＣ工程の手順を説明する。
【００３５】
図５は、本実施例における記録再生工程の流れを示すフローチャートである。光ディスクをローディングして（Ｓ１０２）、フォーカス及びトラッキングの制御を開始する（Ｓ１０３）。光ディスクの種別を判別して（Ｓ１０４）、記録可能なディスクであるかどうかを調べ（Ｓ１０５）、記録可能であれば最適記録パワーを求めるためのＯＰＣ学習工程を実行する（Ｓ１０６）。ＯＰＣ工程の詳細は後述するが、この工程によりデフォーカス量（−Δｆ）を取得して記憶部１３に記憶する。
【００３６】
次に実行すべき動作を判定する（Ｓ１０７）。記録動作であれば、コントローラ１０は記憶部１３に記憶しているデフォーカス量（−Δｆ）を読み出し（Ｓ１０８）、デフォーカス印加回路８にデフォーカス補正量（例えば−Δｆ／２）を設定して、記録開始直前の所定期間（図２のΔｔ３以上）だけフォーカス誤差信号に加算する（Ｓ１０９）。そしてＯＰＣ工程で求めた最適記録パワーに設定してユーザ情報を記録する（Ｓ１１０）。一方再生動作の場合は、デフォーカスの補正なしで再生を実行する（Ｓ１１１）。記録または再生動作を終了してディスクイジェクトの指示を受けると（Ｓ１１２）、フォーカス及びトラッキングの制御を終了し（Ｓ１１４）、光ディスクをイジェクトする（Ｓ１１４）。
【００３７】
このように、記録動作においてデフォーカス補正量（−Δｆ／２）を加算することにより、記録動作開始時の色収差によるデフォーカス発生を低減できる。そして、この補正量は記録動作前に行うＯＰＣ学習工程で取得するので、無駄な工程がなく効率が良い。なお、Ｓ１０９で加算するデフォーカス補正量（−Δｆ／２）は、記録・再生の優先度などを考慮して適宜変更して設定しても良い。
【００３８】
図６は、図５におけるＯＰＣ学習工程（Ｓ１０６）の流れを示すフローチャートである。ＯＰＣ開始の指示を受けると（Ｓ２０１）、記録波形発生回路１２はテスト信号の記録パワーを初期値に設定し（Ｓ２０２）、ディスク上のセクタＳ０の領域に記録する（Ｓ２０３）。そしてデフォーカス量検出回路７は、記録パワーを与えた時に生じるフォーカス誤差信号の変化量（−Δｆ）をデフォーカス量として検出し（Ｓ２０４）、記憶部１３に記憶する（Ｓ２０５）。続いて、次の記録パワーを設定し（Ｓ２０６）、次のセクタＳｎの領域に記録する（Ｓ２０７）。これを繰り返し、全ての記録パワーについてのテスト信号を記録する（Ｓ２０８）。
【００３９】
テスト信号の再生では、まずセクタＳ０の領域から再生を開始する（Ｓ２０９）。その際、再生開始直後の所定期間（時間Δｔ０）は、検出窓を設けて信号の取得を停止する（Ｓ２１０）。この期間は、ＯＰＣ記録時のフォーカス制御系の応答特性で決まる時間である。所定期間（Δｔ０）経過後、セクタＳ０からの振幅データを取得する（Ｓ２１１）。もし、所定期間（Δｔ０）が次のセクタＳ１，Ｓ２まで及ぶ場合には、次のセクタまで信号の取得停止期間を延長する。続いて次のセクタＳｎの領域から再生し（Ｓ２１２）、振幅データを取得する（Ｓ２１３）。これを繰り返し、記録した全てのセクタからの再生を行う（Ｓ２１４）。そして取得した振幅データの対称性を評価し、最も対称性が良い記録パワーを最適記録パワーとして決定する（Ｓ２１５）。
【００４０】
このように、再生開始直後の所定期間はデータの取得を停止し、記録フォーカス制御が安定しないデータを評価から外すことで、最適記録パワー決定値の信頼性が向上する。
【００４１】
上記実施例では、ＯＰＣ工程時にデフォーカス量を取得して補正量を設定するようにしているが、他の方法として、装置出荷時に色収差によって発生するデフォーカス量を測定して、これを基にデフォーカス補正量を記憶部１３に記憶させておくようにしてもよい。
【００４２】
以上のように本実施例によれば、色収差を補正する光学系を新たに配設することなく、記録開始時の色収差に伴う記録品質の劣化を防止することができる。
【図面の簡単な説明】
【００４３】
【図１】本発明による光ディスク記録再生装置の一実施例の構成を示す図。
【図２】記録動作時の装置内部の信号波形を示す図。
【図３】ＯＰＣ工程におけるテスト信号の記録とデフォーカス量の検出を説明する図。
【図４】ＯＰＣ工程におけるテスト信号の再生を説明する図。
【図５】本実施例による記録再生工程の流れを示すフローチャート。
【図６】図５におけるＯＰＣ工程の流れを示すフローチャート。
【符号の説明】
【００４４】
１…光ディスク、２…ピックアップヘッド（ＰＵＨ）、３…トラッキング制御回路、４…加算回路、５…フォーカス制御回路、６…駆動回路、７…デフォーカス量検出回路、８…デフォーカス印加回路、９…信号処理回路、１０…コントローラ、１１…ＬＤ駆動回路、１２…記録波形発生回路、１３…記憶部、２０…レーザ光源（ＬＤ）、２３…対物レンズ、２４…アクチュエータ、２６…フォトディテクター、２７…プリアンプ。
【図１】
2008004227.tif 000003
【図２】
2008004227.tif 000004
【図３】
2008004227.tif 000005
【図４】
2008004227.tif 000006
【図５】
2008004227.tif 000007
【図６】
2008004227.tif 000008